【事件の表示】
　平成　８年特許願第１４４０４０号「ケーブルベア」拒絶査定不服審判事件〔平成　９年１２月１６日出願公開、特開平　９−３２６５７１〕について、次のとおり審決する。
【結　論】
　本件審判の請求は、成り立たない。
【理　由】
Ｉ．本願発明
　本願は、平成８年６月６日の出願であって、その発明は、平成１７年６月１日付けの手続補正により補正された明細書の特許請求の範囲の請求項１に記載された次の事項により特定されるとおりのものと認められる。
「単位ユニットを互いに回転自在に連結して長鎖状とするケーブルベアであって、前記単位ユニットを構成する側片の一端部に開孔された孔部と、この孔部に装着される環状部と、この環状部の内側に装着されたインナーリング部と、環状部とインナーリング部の間にはめ込まれた複数個の球体を有するベアリングと、前記側片の他端部に突設されたピンとを備え、このピンを前記インナーリング部の中心孔に嵌着して前記単位ユニット同士を連結し、前記ピンの回転にともなって前記インナーリング部も自由に回転することを特徴とするケーブルベア。」
（以下、この発明を、「本願発明」という。）
　
II．原審の拒絶理由の概要
　原審における拒絶査定の理由の概要は、この出願の発明は、その出願前日本国内又は外国において頒布された以下の刊行物に記載された発明に基いて、その出願前にその発明の属する技術の分野における通常の知識を有する者が容易に発明をすることができたものであるから、特許法第２９条第２項の規定により特許を受けることができないというものである。
＜刊行物＞
　米国特許第３６６４６１９号明細書
　
III．引用刊行物の記載事項
　原審において引用した刊行物（以下、「引用刊行物」という。）の記載事項を、以下に摘示する。
［ア］「相互に回転自在に接続されたチェーンの連結部（link）を複数含む、電力搬送手段を支持するために電力線を支持するチェーンであって、該連結部の各々は、Ｈ字形状であり、対向する２つの平行な平面形状のアームと、該両アームの長手方向を横切り、該両アームの端部間の領域において両アームを結合する壁部とを有し、該両アームの各々は、・・・該壁部領域で互いに連続する２つの区域を有し、各々のアームの一方の区域には孔が形成され、他方の区域には該孔に滑り嵌めするのに適した外径を有するスタッドが形成され、該チェーンの複数の連結部は、一の連結部のスタッドが回転自在に後ろに隣接する連結部の孔に嵌着するとともに、その一の連結部の孔が回転自在に前に隣接する連結部のスタッドに嵌着するように配置され・・・た電力線を支持するチェーン。」（第５欄第４〜２７行）
［イ］「・・・連結部において、スタッドは連結部の他の部分と異なる材料で形成されていて良い・・・。さらに、スタッド又は連結部の他の部分と異なる材料で形成されるブシュ（bushes）を孔の内部に設置しても良い。・・・カム又はスタッド１２が熱可塑性合成樹脂で形成されている場合、孔１３はスティール製のブシング（bushing）とともに提供されても良い。反対に、連結部がスティール製の場合、孔１３内のブシング（bushing）は、エチレン系の熱可塑性合成樹脂で形成されてもよい。」（第４欄第６０行〜第５欄第３行）
［ウ］Fig.１には、この発明に係る電力線を支持するチェーンの側面図が、Fig.２，３にはこの発明に係る連結部の当尺図が記載されている。
　
IV．当審の判断
１．刊行物発明の認定
　引用刊行物の摘示［ア］には、「相互に回転自在に接続されたチェーンの連結部（link）を複数含む、電力搬送手段を支持するために電力線を支持するチェーン」であって、「該連結部の各々は、・・・対向する２つの平行な平面形状のアーム」を有し、「各々のアームの一方の区域には孔が形成され、他方の区域には該孔に滑り嵌めするに適した外径を有するスタッドが形成され」、「一の連結部のスタッドが回転自在に後ろに隣接する連結部の孔に嵌着するとともに、その一の連結部の孔が回転自在に前に隣接する連結部のスタッドに嵌着するように配置され」る「電力線を支持するチェーン」について記載されており、［ウ］によると、このチェーンは長鎖状であり、連結部の孔及びスタッドは、それぞれ連結部の端部に形成されている。
　また、摘示［イ］には、「ブシュ（bushes）を孔の内部に設置」して良い、又は「孔１３はスティール製のブシング（bushing）とともに提供され」て良いと記載されているから、連結部の孔はブシュ又はブシングが装着されたものを含むといえるし（「ブシング」は「ブシュ」の派生語であるので、以下、「ブシュ又はブシング」をまとめて「ブシュ」という。）、その場合、孔に嵌着されるスタッドは、ブシュの中心孔に嵌着されているといえる。
　以上によれば、引用刊行物には、「連結部を互いに回転自在に連結して長鎖状とする電力線を支持するチェーンであって、前記連結部を構成するアームの一端部に開孔された孔と、この孔に装着されるブシュと、前記アームの他端部に形成されたスタッドとを備え、このスタッドを隣接する孔のブシュの中心孔に嵌着して連結部同士を連結する電力線を支持するチェーン」の発明が記載されているといえる。
（以下、この発明を「刊行物発明」という。）
　
２．対比
　本願発明（前者）と刊行物発明（後者）とを対比すると、後者の「連結部」、「電力線を支持するチェーン」、「（連結部を構成する）アーム」、「孔」及び「スタッド」は、それぞれ、前者の「単位ユニット」、「ケーブルベア」、「（単位ユニットを構成する）側片」、「孔部」及び「ピン」に相当し、後者の「ブシュ」は、孔に装着される部材である点で、前者の「環状部と、環状部の内側に装着されたインナーリング部と、環状部とインナーリング部の間にはめ込まれた複数個の球体を有するベアリング」に対応する。
　以上によると、両者は、「単位ユニットを互いに回転自在に連結して長鎖状とするケーブルベアであって、前記単位ユニットを構成する側片の一端部に開孔された孔部と、この孔部に装着される部材と、前記側片の他端部に突設されたピンとを備え、このピンを孔に装着される部材の中心孔に嵌着して前記単位ユニット同士を連結するケーブルベア」である点で一致し、次の点で相違する。
相違点：前者は、孔部に装着される部品が、「環状部と、この環状部の内側に装着されたインナーリング部と、環状部とインナーリング部の間にはめ込まれた複数個の球体を有するベアリング」であり、ピンを「前記インナーリング部の中心孔」に嵌着しており、「前記ピンの回転にともなって前記インナーリング部も自由に回転する」のに対して、後者は、孔部に装着される部品が「ブシュ」であって、ピンを「ブシュの中心孔」に嵌着して連結しており、ピンの回転にともなってブシュが自由に回転するものではない点
　
３．判断
　「ブシュ（bush，bushing）」について、以下に示す周知文献１「機械工学用語辞典」には、「穴の内面にはめ込む薄肉円筒を，すべてブシュという．簡単な構造の軸受では軸受面にブシュを用い，軸との接触状態を改善し，また摩耗したときの取替え部品とする．」と記載されている。
　そして、刊行物発明において、ブシュは、スタッド（軸）が嵌着される孔の内面に形成されているから、このブシュは、軸との接触状態を改善し、また摩耗したときに取り替える部品であるところの簡単な軸受構造を形成するものであるといえる。
　一方、軸受面と軸との接触状態を改善する軸受構造として、「内環部（インナーリング部）と外環部（環状部）及び両環部間にはめ込まれた複数個の球体からなるボールベアリング」を孔の内面に装着する構造は、周知慣用のものであって、ボールベアリングの外環部を孔に固定するとともに、「内環部（インナーリング部）の中心孔」に軸を回転自在に嵌着することにより、「軸（ピン）の回転にともなって内環部（インナーリング部）も自由に回転する」ボールベアリングの使用態様も周知慣用のものである（要すれば、以下の周知文献２，３参照）。
　そうすると、刊行物発明における簡単な軸受け構造である「ブシュ」を、軸受面と軸との接触状態を改善する軸受け構造として周知・慣用の「ボールベアリング」に置き換えるとともに、これを周知慣用の態様で使用することにより、上記相違点における本願発明の特定事項を導くことは、当業者が容易に想到し得たことと認められる。
　
＜周知文献＞　
１．機械工学用語辞典編集委員会編「機械工学用語辞典」（１９９２年１月３０日　１版１９刷）技報堂出版株式会社発行、第５３頁
２．実願昭６１−３７１４５号（実開昭６２−１４９６１９号）のマイクロフィルム（明細書第１〜３頁（従来技術）の項）
３．実願昭６３−１５５１９２号（実開平２−７６３６１号）のマイクロフィルム（明細書第２頁（従来の技術）の項）
　
Ｖ．むすび
　以上のとおりであるから、本願発明は、刊行物発明、及び周知慣用の事項に基づいて当業者が容易に発明をすることができたものであり、特許法第２９条第２項の規定により特許を受けることができない。
　よって、結論のとおり審決する。